(57)【要約】【課題】名刺画像に含まれる部署情報と役職情報の関連性をより正確に把握することを可能とする技術を提供する。【解決手段】情報処理装置であって、名刺画像から部署および役職の情報を含む文字列を取得する取得手段と、文字列を区切るための所定の文字を保持する保持手段と、前記保持手段にて保持されている所定の文字を用いて、前記取得手段にて取得された文字列を区切る区切り手段と、前記区切り手段にて区切られた文字列を関連付けて蓄積する蓄積手段とを有する。【選択図】図４
2020086466.tif 000002
【特許請求の範囲】
【請求項１】
名刺画像から部署および役職の情報を含む文字列を取得する取得手段と、
文字列を区切るための所定の文字を保持する保持手段と、
前記保持手段にて保持されている所定の文字を用いて、前記取得手段にて取得された文字列を区切る区切り手段と、
前記区切り手段にて区切られた文字列を関連付けて蓄積する蓄積手段と
を有することを特徴とする情報処理装置。
【請求項２】
前記保持手段は、会社名と、文字列を区切るための所定の文字とを対応付けて保持し、
前記区切り手段は、前記名刺画像に含まれる会社名に基づいて、前記所定の文字を特定することを特徴とする請求項１に記載の情報処理装置。
【請求項３】
前記名刺画像に含まれる会社名に対して、文字列を区切るための所定の文字が前記保持手段にて対応付けられていない場合、前記区切り手段は、前記保持手段にて保持されている所定の文字のうち最も多く登録されている所定の文字を用いて、前記取得手段にて取得された文字列を区切ることを特徴とする請求項２に記載の情報処理装置。
【請求項４】
前記区切り手段は、複数の所定の文字を用いて、段階的に前記取得手段にて取得された文字列を区切ることを特徴とする請求項１乃至３のいずれか一項に記載の情報処理装置。
【請求項５】
前記情報処理装置は、ネットワークを介してインターネットに接続され、
前記名刺画像に含まれる会社名を検索キーワードとして、前記インターネットにて当該会社名に対応する会社のウェブページへアクセスするアクセス手段と、
前記アクセス手段にてアクセスしたウェブページから前記会社の組織図に関する情報を取得する第２の取得手段と
を有し、
前記蓄積手段は、前記第２の取得手段により取得された前記組織図に基づき、前記取得手段にて取得された文字列に含まれる部署および役職の情報を関連付けて蓄積することを特徴とする請求項１乃至４のいずれか一項に記載の情報処理装置。
【請求項６】
名刺画像から部署および役職の情報を含む文字列を取得する取得手段と、
文字列を区切るための所定の文字を保持する保持手段と、
前記保持手段にて保持されている所定の文字を用いて、前記取得手段にて取得された文字列を区切る区切り手段と、
前記区切り手段にて区切られた文字列を関連付けて蓄積する蓄積手段と
を有することを特徴とする情報処理システム。
【請求項７】
名刺画像から部署および役職の情報を含む文字列を取得する取得工程と、
文字列を区切るための所定の文字を保持部に保持する保持工程と、
前記保持部にて保持されている所定の文字を用いて、前記取得工程にて取得された文字列を区切る区切り工程と、
前記区切り工程にて区切られた文字列を関連付けて記憶部に蓄積する蓄積工程と
を有することを特徴とする情報処理方法。
【請求項８】
コンピュータを、
名刺画像から部署および役職の情報を含む文字列を取得する取得手段、
文字列を区切るための所定の文字を保持する保持手段、
前記保持手段にて保持されている所定の文字を用いて、前記取得手段にて取得された文字列を区切る区切り手段、
前記区切り手段にて区切られた文字列を関連付けて蓄積する蓄積手段
として機能させるためのプログラム。
【発明の詳細な説明】
【技術分野】
【０００１】
本発明は、情報処理装置、情報処理方法、情報処理システム、及びプログラムに関する。
【背景技術】
【０００２】
従来、収集した名刺を画像入力装置で読み取らせ、短時間で組織構成図などを作成することができる組織構成自動作成装置がある（特許文献１）。
【先行技術文献】
【特許文献】
【０００３】
【特許文献１】特開２０００−２００２８０号公報
【発明の概要】
【発明が解決しようとする課題】
【０００４】
画像入力装置で読み取らせた名刺画像から情報を取得する際、会社名等の固有情報、及び、メールアドレス等の識別性の高い情報を解析することは容易である。しかしながら、部署や役職等の各会社によって独自性の高い情報を、正確に解析することが困難であるという問題がある。例えば、複数の部署に所属し、各部署で異なった役職である人物の名刺は、部署情報や役職を一枚の名刺にまとめられていることが多く、部署情報と役職の関連性を正確に把握することができない。
【０００５】
本発明は、名刺画像に含まれる部署情報と役職情報の関連性をより正確に把握することを可能とする技術を提供する。
【課題を解決するための手段】
【０００６】
上記課題を解決するために本発明は以下の構成を備える。すなわち、情報処理装置であって、名刺画像から部署および役職の情報を含む文字列を取得する取得手段と、文字列を区切るための所定の文字を保持する保持手段と、前記保持手段にて保持されている所定の文字を用いて、前記取得手段にて取得された文字列を区切る区切り手段と、前記区切り手段にて区切られた文字列を関連付けて蓄積する蓄積手段とを有する。
【発明の効果】
【０００７】
本発明により、名刺画像に含まれる部署情報と役職情報の関連性をより正確に把握することが可能となる。
【図面の簡単な説明】
【０００８】
【図１】本発明に係るネットワーク構成の例を示す図。
【図２】本発明に係るシステム構成の例を示す図。
【図３】本発明に係る全体の流れを示すフローチャート。
【図４】本発明に係る部署役職パーツ画像に対する登録処理のフローチャート。
【図５】本発明に係る登録データ生成処理のフローチャート。
【図６】本発明に係る各種テーブルの構成例を示す図。
【発明を実施するための形態】
【０００９】
以下、添付図面を用いて、本発明の好適な実施形態について説明する。なお、以下説明する実施形態は、本発明を具体的に実施した場合の一例を示すものであり、特許請求の範囲に記載する構成の具体的な実施例の一つである。
【００１０】
＜第１の実施形態＞
［システム構成］
図１は、本実施形態に係る情報処理システムの構成の例を示す図である。本実施形態において、ＰＣ（Ｐｅｒｓｏｎａｌ  Ｃｏｍｐｕｔｅｒ）などの情報処理装置１００がネットワークを介して、インターネット１１０に接続されているものとする。図１では不図示であるが、インターネット１１０上には、ホームページ等のウェブサイトを提供するサーバや、検索サービスを提供するサーバなどが設けられているものとする。
【００１１】
情報処理装置１００は、ＣＰＵ（Ｃｅｎｔｒａｌ  Ｐｒｏｃｅｓｓｉｎｇ  Ｕｎｉｔ）１０２、ＲＯＭ（Ｒｅａｄ  Ｏｎｌｙ  Ｍｅｍｏｒｙ）１０３、ＲＡＭ（Ｒａｎｄｏｍ  Ａｃｃｅｓｓ  Ｍｅｍｏｒｙ）１０４、外部記憶装置１０５、操作部１０６、通信部１０７、および表示部１０８を含んで構成される。各部位は、内部バス１０１を介して互いに通信可能に接続される。ＣＰＵ１０２は、情報処理装置１００全体の制御を司り、外部記憶装置１０５等に格納されたプログラムを読み出して実行することにより、後述するような各種処理を実現する。ＲＯＭ１０３は、不揮発性の記憶部である。ＲＡＭ１０４は、揮発性の記憶部であり、プログラムの実行に伴うワークエリアとしても用いられる。外部記憶装置１０５は、不揮発性の記憶部であり、ＯＳ（Ｏｐｅｒａｔｉｎｇ  Ｓｙｓｔｅｍ）やプログラム、各種データが格納される。操作部１０６は、ユーザーからの操作を受け付けるためのインターフェースであり、例えば、マウスやキーボードなどが挙げられる。通信部１０７は、ネットワーク上の外部装置との通信を行うための部位である。通信部１０７における通信方法や通信方式は特に限定するものではなく、インターネット１１０上の外部装置へのアクセスが可能であればよい。表示部１０８は、各種情報を表示するための部位である。
【００１２】
図２は、本実施形態に係る情報処理システムのソフトウェアの構成例を示す。なお、本実施形態に係る情報処理システムは、情報処理装置１００により後述する各種処理を実行するものとして説明する。本実施形態に係る情報処理システムは、画像取得部２０１、切り出し処理部２０２、パーツ画像保存部２０３、ＯＣＲ（Ｏｐｔｉｃａｌ  Ｃｈａｒａｃｔｅｒ  Ｒｅａｄｅｒ）処理部２０４、名刺情報蓄積部２０５、および部署役職解析部２０６を含んで構成される。なお、各構成は情報処理装置１００内に設けられてもよいし、一部が情報処理装置１００とネットワークにて接続されている別個の装置内に設けられてもよい。パーツ画像保存部２０３は、例えば、ＲＡＭ１０４に設けられ、名刺情報蓄積部２０５は、例えば、外部記憶装置１０５に設けられてよい。
【００１３】
情報の読み取り対象である名刺情報（名刺画像）の取得方法には様々な方法があり、特定の方法に限るものではない。例えば、スキャナなどの画像読取装置を用いて読み取った情報を名刺情報として取得してもよい。また、カメラなどの撮像装置を用いて名刺を撮像し、該撮像により得られる画像から上記の名刺情報を取得しても構わない。また、ユーザー等により指定された位置に格納された情報を名刺情報として取得してもよいし、ネットワーク上に接続されている外部機器から受信した情報を名刺情報として取得してもよい。画像取得部２０１は、上記のような取得方法に対応して構成される。また、画像取得部２０１は、複数の取得方法に対応可能に構成されてもよい。
【００１４】
まず、一枚の名刺に対応する画像情報（以下、名刺画像）が画像取得部２０１により取得される。そして、切り出し処理部２０２は、取得された画像情報から一部の画像を切り出すことでパーツ画像を生成し、パーツ画像保存部２０３に保存させる。
【００１５】
次に、パーツ画像保存部２０３で保存されているパーツ画像は、ＯＣＲ処理部２０４によるＯＣＲ処理によって文字等が認識される。認識の結果、部署と役職以外の情報が名刺情報蓄積部２０５に保存される。部署と役職以外の情報としては、例えば、会社名、氏名、電話番号、メールアドレス、住所などが挙げられる。一方、認識された部署と役職の情報は、部署役職解析部２０６に送られる。
【００１６】
例えば、名刺情報蓄積部２０５に保存される情報は以下になる。
会社名：○○株式会社
氏名：秩父太郎
電話番号：××―××××―××××
メールアドレス：ａａａ＠ｆｏｏ．ｃｏ．ｊｐ
住所：東京都港区△―△―△
【００１７】
また、例えば、部署役職解析部２０６に送られる情報は以下になる。
×××部  部長  兼  〇〇〇部  〇〇〇課  課長  兼  △△△部  部長
【００１８】
［処理フロー］
本実施形態に係る情報処理システム全体の流れについて、図３を用いて説明する。図３に示す処理フローは、例えば、情報処理装置１００が備えるＣＰＵ１０２が外部記憶装置１０５に保持されたプログラムを読み出して実行することで実現される。
【００１９】
Ｓ３０１にて、画像取得部２０１は、名刺画像を取得する。上述したように名刺画像の取得方法は特に限定するものではない。ここで取得された名刺画像に対して、当該名刺画像を一意に識別するための名刺ＩＤが割り当てられる。なお、名刺が両面印刷されている場合には、表面と裏面を対応付けて、１の名刺画像として取得してもよい。
【００２０】
Ｓ３０２にて、切り出し処理部２０２は、パーツ画像として部署と役職以外の情報を、項目ごとにユーザーの指示に基づき切り出し処理を行う。その際、部署と役職は一つのパーツ画像として切り出される。このとき、部署と役職が複数ある場合は、まとめて一つのパーツ画像として切り出される。以下、部署と役職に関する情報を含むパーツ画像を「部署役職パーツ画像」と称する。ユーザーによる指示としては、名刺画像において、文字情報を含む領域をそれぞれ指定してパーツ画像として示すことが挙げられる。切り出された各パーツ画像は、外部記憶装置１０５などに設けられたパーツ画像保存部２０３に記憶される。
【００２１】
Ｓ３０３にて、ＯＣＲ処理部２０４は、部署と役職以外の情報が含まれるパーツ画像から文字情報を認識し、テキストデータ化する。更に、ＯＣＲ処理部２０４は、取得した情報は、予め保持されている会社名テーブル（図６（ｅ））を参照して、名刺基本情報テーブル（図６（ａ））に登録する。
【００２２】
Ｓ３０４にて、ＯＣＲ処理部は２０４、部署役職パーツ画像に対する登録処理を行う。ここでは、ＯＣＲ処理部２０４は、部署役職パーツ画像から文字情報を認識し、部署と役職の情報をテキストデータ化する。更に、部署役職解析部２０６は、部署と役職の情報の解析を行い、部署役職管理テーブル（図６（ｃ））に登録する。詳細については、図４、図５を用いて説明する。そして、本処理フローを終了する。
【００２３】
（部署役職情報パーツ画像に対する登録処理）
図３のＳ３０４の工程における処理の詳細について、図４を用いて説明する。
【００２４】
Ｓ４０１にて、ＯＣＲ処理部２０４は、部署役職パーツ画像を取得する。
【００２５】
Ｓ４０２にて、ＯＣＲ処理部２０４は、Ｓ４０１で取得した部署役職パーツ画像から文字情報を認識し、テキストデータ化する。
【００２６】
Ｓ４０３にて、部署役職解析部２０６は、図３のＳ３０３で取得した文字情報の中から会社名に関する文字情報を参照する。そして、部署役職解析部２０６は、この文字情報を検索キーワードとして、検索エンジン（検索サービス）を利用して、インターネット１１０上の該当企業のウェブページへアクセスし、その情報を取得する。ここで用いられる検索エンジン（検索サービス）は特に限定するものではない。また、検索キーワードとして用いる情報は「会社名」に限定するものではなく、例えば、複数の情報を組み合わせて検索キーワードとしてもよい。また、後述する処理に対応して、複数のページから構成されるウェブページのうち、所定の情報が記載されたページ（例えば、組織図に関するページ）の情報のみを検索して取得するような構成であってもよい。
【００２７】
Ｓ４０４にて、部署役職解析部２０６は、Ｓ３０３により取得したホームページ情報を解析し、該当企業の組織図がウェブページから取得できるか否かを判定する。ここでの解析方法は、例えば、画像認識や文字認識により、所定の文字情報（例えば、「組織図」）が含まれているか否かに応じて判定してよい。組織図の情報を取得できる場合（Ｓ４０４にてＹＥＳ）Ｓ４０５に進み、取得できない場合は（Ｓ４０４にてＮＯ）Ｓ４０６へ進む。
【００２８】
Ｓ４０５にて、部署役職解析部２０６は、登録データ作成処理を行う。本工程の詳細については、図５を用いて後述する。本工程が終了した後、本処理フローは終了する。
【００２９】
Ｓ４０６にて、部署役職解析部２０６は、図３のＳ３０３で取得した文字情報の中から会社名に関する文字情報を参照し、この会社名に対応する会社ＩＤを会社名テーブル（図６（ｅ））を参照して取得する。更に、部署役職解析部２０６は、区切り文字テーブル（図６（ｂ））を参照し、該当企業の複数部署役職の区切り文字を取得できるか否かを判定する。例えば、図６（ｂ）に示す例の場合、該当企業の会社ＩＤが「００ａ」である際に、これに対応する複数部署役職の区切り文字は「兼」となる。この複数部署役職の区切り文字が取得できる場合は（Ｓ４０６にてＹＥＳ）Ｓ４０７へ進み、取得できない場合は（Ｓ４０６にてＮＯ）Ｓ４０８へ進む。
【００３０】
Ｓ４０７にて、部署役職解析部２０６は、該当企業の複数部署役職の区切り文字を用いて、部署役職パーツ画像から認識されたテキストデータを複数の文字列群に分割する。例えば、Ｓ４０２にて取得したテキストデータの文字情報を以下に示す「文字列Ａ」とする。
文字列Ａ
「×××部  部長  兼  〇〇〇部  〇〇〇課  課長  兼  △△△部  部長」
【００３１】
また、該当企業の複数部署役職の区切り文字を「兼」とする。そして、区切り文字「兼」で文字列Ａに対して区切り処理を行うと、文字列配列Ｂとして、以下の結果を取得することができる。ここでは、３つの文字列群（文字列配列）が得られる。
文字列配列Ｂ
「×××部  部長」
「〇〇〇部  〇〇〇課  課長」
「△△△部  部長」
そして、Ｓ４１０へ進む。
【００３２】
Ｓ４０８にて、部署役職解析部２０６は、区切り文字テーブル（図６（ｂ））に登録されている複数部署役職の区切り文字の中から、一番多く登録されている複数部署役職の区切り文字を取得する。
【００３３】
Ｓ４０９にて、部署役職解析部２０６は、Ｓ４０８にて取得した複数部署役職の区切り文字を用いて、Ｓ４０２にて部署役職パーツ画像から認識されたテキストデータを、複数の文字列群に分割する。なお、Ｓ４０８にて取得した区切り文字がＳ４０２にて取得されたテキストデータ内に含まれていない場合は、本工程をスキップしてもよい。この場合は、テキストデータは元のままとなる。ここで得られたテキストデータを文字列配列Ｂとする。そして、Ｓ４１０へ進む。
【００３４】
Ｓ４１０にて、部署役職解析部２０６は、区切り文字テーブル（図６（ｂ））を参照し、該当企業の部署階層の区切り文字を取得できるか否かを判定する。例えば、図６（ｂ）に示す例の場合、該当企業の会社ＩＤが「００ａ」である際に、これに対応する部署階層の区切り文字が「スペース」となる。この部署階層の区切り文字が取得できる場合は（Ｓ４１０にてＹＥＳ）Ｓ４１１へ進み、取得できない場合は（Ｓ４１０にてＮＯ）Ｓ４１２へ進む。
【００３５】
Ｓ４１１にて、部署役職解析部２０６は、該当企業の部署階層の区切り文字を用いて、Ｓ４０７またはＳ４０９にて取得された文字列Ｂを複数の文字列群に分割する。例えば、Ｓ４０７にて得られた上記の文字列Ｂに対して、区切り文字「スペース」を用いて区切り処理を行うと、以下の結果が得られる。
１）「×××部」と「部長」
２）「○○〇部」と「〇〇〇課」と「課長」
３）「△△△部」と「部長」
これにより、役職マスタテーブル（図６（ｆ））を参照して役職名を取得し、上記の結果と照合することで、役職の解析を行うことが可能となる。その後、Ｓ４１４へ進む。
【００３６】
Ｓ４１２にて、部署役職解析部２０６は、区切り文字テーブル（図６（ｂ））に登録されている部署階層の区切り文字の中から、一番多く登録されている部署階層の区切り文字を取得する。
【００３７】
Ｓ４１３にて、部署役職解析部２０６は、Ｓ４１２にて取得した区切り文字を用いて、Ｓ４０７またはＳ４０９にて取得された文字列Ｂを複数の文字列群に分割する。そして、Ｓ４１４へ進む。
【００３８】
Ｓ４１４にて、部署役職解析部２０６は、Ｓ４１１またはＳ４１３にて得られた文字情報を部署役職管理テーブル（図６（ｃ））に登録する。そして、本処理フローを終了する。
【００３９】
（登録データ生成処理）
図４のＳ４０５の工程における登録データ生成処理の詳細について、図５を用いて説明する。
【００４０】
Ｓ５０１にて、部署役職解析部２０６は、Ｓ４０３にて取得したウェブページから取得された組織図をウェブページのソースから解析する。ここでの解析方法は特に限定するものではなく、公知の方法を利用可能であるとする。そして、部署役職解析部２０６は、解析結果に基づき、部署役職管理テーブル（図６（ｃ））の初期データを作成する。なお、初期データの作成は、ウェブサイトに掲載されている組織図をユーザーが確認し、ユーザー操作に基づいて部署役職管理テーブル（図６（ｃ））の初期データの入力を受け付けるような構成であってもよい。この場合、組織図における解析結果をユーザーに提示するような構成であってもよい。
【００４１】
Ｓ５０２にて、部署役職解析部２０６は、Ｓ４０２にて取得したテキストを部署役職管理テーブル（図６（ｃ））と照合し、該当名刺の名刺ＩＤと役職を部署役職管理テーブルに登録する。そして、本処理フローを終了する。
【００４２】
［テーブル構成］
図６は、本実施形態に係る各種テーブルの構成例を示す。本実施形態では、名刺基本情報テーブル，区切り文字テーブル、部署役職管理テーブル、会社名テーブル、および役職マスタテーブルを用いるものとする。これらのテーブルは、名刺情報蓄積部２０５等の保持部に保持されているものとする。
【００４３】
図６（ａ）は、名刺基本情報テーブルの構成例を示す。名刺基本情報テーブルは、名刺ＩＤ、氏名、会社ＩＤ、電話番号、およびメールアドレスの項目を含んで構成される。名刺ＩＤは、名刺情報を登録する際に、名刺を一意に識別するための識別情報として付与される。会社ＩＤは、会社を一意に識別するための識別情報である。
【００４４】
図６（ｂ）は、区切り文字テーブルの構成例を示す。区切り文字テーブルは、会社ごとに複数部署役職の区切り文字、および部署階層の区切り文字が対応付けて保持されている。本実施形態において、複数部署役職の区切り文字は、部署と役職の組ごとに文字列を区切るための文字である。部署階層の区切り文字は、一組の文字列を更に区切るための文字である。ここでの組を構成する要素としては、部署のみ、１の部署と１の役職、階層化された部署（部と課など）と１の役職、などが該当する。本実施形態では、図４に示したように、異なる区切り文字を用いて、文字列を段階的に区切っている。本テーブルは、区切り文字として所定の文字をユーザーが設定できるようにしてもよいし、ＯＣＲによる文字認識の結果に基づき、登録、更新されるような構成であってもよい。また、いずれか一方の区切り文字のみが登録されていてもよいし、複数の区切り文字が併用または階層化されてもよい。
【００４５】
図６（ｃ）は、部署役職管理テーブルの構成例を示す。部署役職管理テーブルは、会社ＩＤ、部署階層番号、部署名、役職、および名刺ＩＤを含んで構成される。部署階層番号は、「数字−」にて構成され、階層の深さを意味する。例えば、「１−」は部署の一層目、「２−」、「３−」も部署の一層目を表す。また、「１−」、「２−」、「３−」は並列関係となる。「２−１−」は部署「２−」の下の部署であり、部署の二層目となる。図６（ｃ）は、図５にて示した初期データを生成した時点での構成例を示し、図６（ｄ）は、名刺画像から解析されたテキストデータが、部署名と役職が関連付けて登録された時点での構成例を示す。
【００４６】
図６（ｅ）は、会社名テーブルの構成例を示す。会社名テーブルは、会社ＩＤと会社名が対応付けて保持されている。会社名テーブルは、例えば、新たな会社に対する名刺情報を登録する際に、会社ＩＤを発行し、ＯＣＲによる文字認識により得られた会社名と併せて登録するような構成であってよい。
【００４７】
図６（ｆ）は、役職マスタテーブルの構成例を示す。役職マスタテーブルは、会社にて用いられる役職名を保持するテーブルである。本テーブルはユーザーが登録、更新できるような構成であってもよいし、ＯＣＲによる文字認識の結果に基づき、登録、更新されるような構成であってもよい。
【００４８】
上述したように、本実施形態により、名刺に書かれている部署情報と役職情報の関連性をより正確に把握することができる。また、名刺に書かれている企業名から、該企業のホームページに掲載されている組織図を用いて処理することにより、名刺に書かれている部署情報と役職情報の関連性をより正確に把握することができる。
【００４９】
＜その他の実施形態＞
上記の実施形態では、企業に対応付けられた区切り文字を区切り文字テーブルから取得できない場合には、最も多く登録されている区切り文字を用いて文字列を分割する例を示した。しかし、これに限定するものではなく、例えば、予め定義された区切り文字を用いて分割を行うような構成であってもよい。また、複数の区切り文字を順に適用するような構成であってもよい。
【００５０】
また、上記の実施形態では、図４の処理において、部署および役職の情報を登録する際に、外部サーバへの組織図の問い合わせを行っていた。しかし、この構成に限定するものではなく、例えば、登録データ作成処理（図５）を一度行い、組織図の情報を取得していた場合には、問い合わせの処理（Ｓ４０３〜Ｓ４０５）を省略するような構成であってもよい。また、企業における組織図は変動する可能性があるため、問い合わせ処理を行ってから、一定期間が経過した場合には再度行うような構成であってもよい。また、組織図を取得できた場合であっても、名刺画像を認識して取得した部署に関する情報の粒度が異なる場合には、名刺画像からの情報を優先して用いるような構成であってもよい。
【００５１】
また、上記の実施形態では、名刺にて示される言語として日本語の名刺における例を示したがこれに限定するものではない。例えば、名刺にて示される言語に応じて、テーブルの構成や区切り文字を変更してもよい。
【００５２】
本発明は上述の実施形態の１以上の機能を実現するプログラムをネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００５３】
１００…情報処理装置、１１０…インターネット、２０１…画像取得部、２０２…切り出し処理部、２０３…パーツ画像保存部、２０４…ＯＣＲ処理部、２０５…名刺情報蓄積部、２０６…部署役職解析部
【図１】
2020086466.tif 000003
【図２】
2020086466.tif 000004
【図３】
2020086466.tif 000005
【図４】
2020086466.tif 000006
【図５】
2020086466.tif 000007
【図６】
2020086466.tif 000008